(57)【要約】【課題】視覚障害者の利用を容易にすることができるとともに、指先の操作に対する検出機能の低下を抑制することができるエレベータ用操作盤を得る。【解決手段】乗場操作盤１は、タッチパネル２２を有する操作盤本体２と、タッチパネル２２の表示面を覆うカバー３とを有している。タッチパネル２２の表示面には、複数の接触操作領域が設定されている。カバー３には、各接触操作領域２３に対応する複数の開口部３１と、各開口部３１に対応する複数の点字領域３２とが設けられている。各接触操作領域２３は、カバー３がタッチパネル２２の表示面を覆っている状態でカバー３から各開口部３１を通して個別に露出している。【選択図】図１
2017186121.tif 000002
【特許請求の範囲】
【請求項１】
タッチパネルを有する操作盤本体、及び
前記タッチパネルの表示面を覆うカバー
を備え、
前記タッチパネルの表示面には、複数の接触操作領域が設定され、
前記カバーには、各前記接触操作領域に対応する複数の開口部と、各前記開口部に対応する複数の点字領域とが設けられ、
各前記接触操作領域は、前記カバーが前記タッチパネルの表示面を覆っている状態で前記カバーから各前記開口部を通して個別に露出しているエレベータ用操作盤。
【請求項２】
各前記接触操作領域は、前記カバーが前記タッチパネルの表示面を覆っている状態で前記点字領域の範囲から外れている請求項１に記載のエレベータ用操作盤。
【請求項３】
前記タッチパネルによる前記接触操作領域の接触検出方式は、静電容量方式である請求項１又は請求項２に記載のエレベータ用操作盤。
【請求項４】
前記カバーは、前記操作盤本体に対して着脱可能になっている請求項１〜請求項３のいずれか一項に記載のエレベータ用操作盤。
【請求項５】
前記カバーは、シート状のカバーであり、
前記操作盤本体に設けられ、前記カバーを巻き取る巻取装置
を備え、
前記カバーは、前記巻取装置から繰り出されることにより前記タッチパネルの表示面を覆い、前記巻取装置に巻き取られることにより前記タッチパネルの表示面から外れる請求項１〜請求項４のいずれか一項に記載のエレベータ用操作盤。
【発明の詳細な説明】
【技術分野】
【０００１】
この発明は、タッチパネルを有するエレベータ用操作盤に関するものである。
【背景技術】
【０００２】
従来、タッチパネルを有するエレベータ用操作盤が知られている。このような従来のエレベータ用操作盤では、タッチパネルの表示面に表示されている複数のボタン部のいずれかを指先で操作して選択することにより、かごの行先階を登録することができる。しかし、このような従来のエレベータ用操作盤は、タッチパネルの表示面に物理的なボタンが存在しないため、指先だけでボタンの位置を識別することができず、視覚障害者にとっては利用しづらい操作盤になっている。
【０００３】
従来、視覚障害者の利用を容易にするために、触知用の凸部又は凹部が設けられた触知シートをタッチパネルの表示面に重ねたエレベータ用操作盤が提案されている。このような従来のエレベータ用操作盤では、視覚障害者が凸部又は凹部を触知することができ、凸部又は凹部を押すことにより健常者と同様に視覚障害者が操作を行うことができる（例えば特許文献１参照）。
【０００４】
また、従来、視覚障害者の利用を容易にするために、透明ドーム部を有するディスプレイカバーをタッチパネルの表示面に重ね、透明ドーム部を指で押すと透明ドーム部が反転してタッチパネルに接触するとともに、透明ドーム部から指を離すと透明ドーム部がドーム状に復元するエレベータ用操作盤も提案されている。このような従来のエレベータ用操作盤では、視覚障害者が透明ドーム部を認識することができるとともに、透明ドーム部の復元によりクリック感を伴わせることもできる（例えば特許文献２参照）。
【先行技術文献】
【特許文献】
【０００５】
【特許文献１】特開２００６−６９７０９号公報
【特許文献２】特開２００５−８２２９９号公報
【発明の概要】
【発明が解決しようとする課題】
【０００６】
しかし、特許文献１及び２に示されている従来のエレベータ用操作盤では、タッチパネルの表示面に指先を接触させることができないので、指先による操作が検出されにくくなり、指先に対するタッチパネルの感知性が低下してしまう。
【０００７】
この発明は、上記のような課題を解決するためになされたものであり、視覚障害者の利用を容易にすることができるとともに、指先の操作に対する検出機能の低下を抑制することができるエレベータ用操作盤を得ることを目的とする。
【課題を解決するための手段】
【０００８】
この発明によるエレベータ用操作盤は、タッチパネルを有する操作盤本体、及びタッチパネルの表示面を覆うカバーを備え、タッチパネルの表示面には、複数の接触操作領域が設定され、カバーには、各接触操作領域に対応する複数の開口部と、各開口部に対応する複数の点字領域とが設けられ、各接触操作領域は、カバーがタッチパネルの表示面を覆っている状態でカバーから各開口部を通して個別に露出している。
【発明の効果】
【０００９】
この発明によるエレベータ用操作盤によれば、乗客が視覚障害者である場合に、点字領域を指先で確認しながら、開口部に指先を入れて接触操作領域に指先を接触させることができる。これにより、乗場操作盤に対する視覚障害者の利用を容易にすることができる。また、接触操作領域と指先との間にカバーが介在しないので、指先の操作に対するタッチパネルの検出機能の低下を抑制することができる。
【図面の簡単な説明】
【００１０】
【図１】この発明の実施の形態１によるエレベータ用乗場操作盤を示す正面図である。
【図２】図１のエレベータ用乗場操作盤を示す側面図である。
【図３】図１のカバーの状態が不使用状態であるときの乗場操作盤を示す正面図である。
【図４】図３の乗場操作盤を示す側面図である。
【発明を実施するための形態】
【００１１】
以下、この発明の実施の形態について図面を参照して説明する。
実施の形態１．
図１は、この発明の実施の形態１によるエレベータ用乗場操作盤を示す正面図である。また、図２は、図１のエレベータ用乗場操作盤を示す側面図である。エレベータ用操作盤である乗場操作盤１は、エレベータの乗場の壁面に固定されている操作盤本体２と、操作盤本体２に設けられているシート状の透明のカバー３と、操作盤本体２に設けられ、カバー３を巻き取る巻取装置４とを有している。
【００１２】
操作盤本体２は、筐体２１と、筐体２１に設けられているタッチパネル２２とを有している。
【００１３】
タッチパネル２２は、タッチパネル２２の表示面を筐体２１の開放部分から露出させた状態で筐体２１に取り付けられている。タッチパネル２２の表示面には、複数の接触操作領域２３と、各接触操作領域２３に対する操作により入力された情報が表示される表示領域２４とが設定されている。
【００１４】
各接触操作領域２３は、人の接触の有無を検出する領域であり、個別の情報を人の接触によってタッチパネル２２に入力する操作領域である。また、複数の接触操作領域２３には、互いに異なる情報が表示されている。タッチパネル２２では、接触操作領域２３に乗客の指先が接触すると、接触操作領域２３に表示されている情報が、タッチパネル２２に入力され、表示領域２４に表示される。
【００１５】
この例では、タッチパネル２２による接触操作領域２３の接触検出方式が、接触操作領域２３での静電容量の変化により接触操作領域２３に対する人の指先の接触を検出する静電容量方式となっている。また、この例では、一部の接触操作領域２３に表示されている情報が数字となっており、接触操作領域２３の操作で選択した数字の組み合わせによって、かごの行先階が特定される。タッチパネル２２で特定されたかごの行先階の情報は、エレベータの運転を制御する制御装置へ送られ、制御装置においてかごの行先階の呼びが登録される。制御装置は、呼び登録された行先階の情報に基づいてエレベータの運転を制御する。
【００１６】
巻取装置４は、筐体２１内に収容されている。また、巻取装置４は、カバー３を巻き取る巻取軸と、カバー３を巻き取る方向へ巻取軸を付勢する付勢ばねとを有している。筐体２１のタッチパネル２２の範囲から外れた上部には、シート状のカバー３を通すスリット２５が設けられている。
【００１７】
カバー３は、筐体２１内の巻取装置４からスリット２５を通して筐体２１外へ出ている。また、カバー３の状態は、タッチパネル２２の表示面を覆っている使用状態（図１及び図２）と、タッチパネル２２の表示面から外れている不使用状態（後述する図３及び図４）との間で変化可能になっている。
【００１８】
図３は、図１のカバー３の状態が不使用状態であるときの乗場操作盤１を示す正面図である。また、図４は、図３の乗場操作盤１を示す側面図である。カバー３は、巻取装置４の付勢ばねの付勢力に逆らって巻取装置４から筐体２１外へ繰り出されることにより、図１及び図２に示すようにタッチパネル２２の表示面を覆う使用状態となり、巻取装置４の付勢ばねの付勢力で巻取装置４に巻き取られることにより、図３及び図４に示すようにタッチパネル２２の表示面から外れる不使用状態になる。
【００１９】
カバー３は、タッチパネル２２による人の指先の接触検出を遮断する材料で構成されている。即ち、カバー３を構成する材料は、人の指先と接触操作領域２３との間への介在によって接触操作領域２３における静電容量を変化させにくくする材料となっている。カバー３を構成する材料としては、誘電率及び吸水性が低くかつ柔軟性を持つ材料が望ましい。この例では、カバー３を構成する材料としてビニル系樹脂が用いられている。
【００２０】
カバー３には、各接触操作領域２３に対応する貫通穴である複数の開口部３１と、各開口部３１に対応する複数の点字領域３２とが設けられている。各点字領域３２は、その点字領域３２に対応する開口部３１の隣に位置している。
【００２１】
カバー３の状態が使用状態であるときには、図１に示すように、各開口部３１の範囲が各接触操作領域２３の範囲に個別に重なっている。これにより、カバー３の状態が使用状態であるときには、各接触操作領域２３がカバー３から各開口部３１を通して個別に露出している。
【００２２】
各点字領域３２には、その点字領域３２に対応する隣の開口部３１を通して露出される接触操作領域２３に表示されている情報を示す点字が設けられている。この例では、数字を示す点字が点字領域３２に設けられている。また、カバー３の状態が使用状態であるときには、各点字領域３２の範囲が各接触操作領域２３の範囲から外れている。これにより、各点字領域３２を押したときの各接触操作領域２３による誤検出がなくなる。
【００２３】
カバー３の引き出し端部には、持ち手部３３が設けられている。持ち手部３３は、カバー３の厚さ方向へカバー３から突出する突起部である。カバー３は、持ち手部３３が筐体２１のスリット２５の縁に掛かることにより不使用状態に保持される。乗客は、持ち手部３３を持ってカバー３を筐体２１内から引き出すことにより、カバー３の状態を不使用状態から使用状態にすることができる。カバー３は、筐体２１に設けられた図示しない留め具によって使用状態に保持される。
【００２４】
筐体２１には、乗場操作盤１の周囲に人がいるか否かを検出するセンサと、アナウンス装置とが設けられている。アナウンス装置は、センサによって人が検出されると、乗場操作盤１の使用方法を音声によりアナウンスする。
【００２５】
次に、乗場操作盤１の使用方法について説明する。視覚障害者である乗客が乗場操作盤１を使用するときには、まず筐体２１のスリット２５に掛かっている持ち手部３３を持ってカバー３を筐体２１内から引き出して、カバー３の状態を不使用状態から使用状態へ変化させる。これにより、タッチパネル２２の表示面がカバー３で覆われる。このとき、各開口部３１の範囲が各接触操作領域２３の範囲に重なり、各接触操作領域２３だけは、カバー３から各開口部３１を通して個別に露出される。
【００２６】
この後、乗客は、カバー３の各点字領域３２に設けられている点字を指先で認識しながら、開口部３１に指先を入れて指先を接触操作領域２３に接触させ、目的の行先階の情報をタッチパネル２２に入力する。これにより、行先階の情報が表示領域２４に表示され、行先階の呼び登録が行われる。
【００２７】
このような乗場操作盤１では、タッチパネル２２の表示面を覆うカバー３に、各接触操作領域２３に対応する複数の開口部３１と、各開口部３１に対応する複数の点字領域３２とが設けられ、各接触操作領域２３が、カバー３から各開口部３１を通して個別に露出しているので、乗客が視覚障害者である場合に、点字領域３２の点字を指先で確認しながら、開口部３１に指先を入れて接触操作領域２３に指先を接触させることができる。これにより、視覚障害者が目的の接触操作領域２３を把握して操作することができ、目的と異なる接触操作領域２３を誤って選択することを防止することができる。従って、乗場操作盤１に対する視覚障害者の利用を容易にすることができる。また、接触操作領域２３と指先との間にカバー３が介在しないので、接触操作領域２３の指先に対する感知性の低下を防止することができ、指先の操作に対するタッチパネル２２の検出機能の低下を抑制することができる。
【００２８】
また、カバー３がタッチパネル２２の表示面を覆っている使用状態では、各接触操作領域２３の範囲から各点字領域３２が外れているので、各点字領域３２に指先が接触しても、指先の操作が接触操作領域２３によって検出されないようにすることができる。これにより、視覚障害者による接触操作領域２３の誤った選択をさらに防止することができる。
【００２９】
また、タッチパネル２２による接触操作領域２３の接触検出方式が、静電容量方式になっているので、例えば点字領域３２の点字を認識するためにカバー３を指先で押しても、接触操作領域２３が指先の押圧を検出することがない。これにより、視覚障害者による誤操作の防止をさらに図ることができる。
【００３０】
また、カバー３は、タッチパネル２２の表示面から外れるようになっているので、例えば健常者が乗場操作盤１を使用する場合等、点字の使用が不要な場合に、カバー３をタッチパネル２２の表示面から外すことができ、タッチパネル２２の操作性を向上させることができる。
【００３１】
また、シート状のカバー３を巻き取る巻取装置４が操作盤本体２に設けられているので、カバー３を使用しないときには、巻取装置４でカバー３を巻き取ってカバー３をコンパクトにしておくことができる。これにより、乗場操作盤１の大型化を抑制することができるとともに、カバー３の取り扱いを容易にすることができる。
【００３２】
また、巻取装置４が操作盤本体２の筐体２１内に設けられているので、巻取装置４が操作盤本体２の外部に露出することを防止することができ、操作盤本体２の意匠性の低下を防止することができる。
【００３３】
なお、上記の例では、タッチパネル２２による接触操作領域２３の接触検出方式が静電容量方式になっているが、接触操作領域２３に対する押圧により接触操作領域２３に対する人の指先の接触を検出する抵抗膜方式（即ち、押圧式）を、タッチパネル２２による接触操作領域２３の接触検出方式として用いてもよい。この場合、点字領域３２に対する押圧力が接触操作領域２３に伝わって接触操作領域２３の誤検出が生じるおそれがあるときには、点字領域３２の内部に補強板又は補強棒を配置してもよい。このようにすれば、点字領域３２を押しても点字領域３２を変形させないようにすることができ、点字領域３２を押すことによる接触操作領域２３の誤検出を防止することができる。
【００３４】
また、上記の例では、カバー３及び巻取装置４が操作盤本体２から取り外せないようになっているが、カバー３及び巻取装置４を操作盤本体２に対して着脱可能にしてもよい。このようにすれば、カバー３及び巻取装置４が必要な場合でも不要な場合でも、共通の操作盤本体２を用いることができ、コストの低減化を図ることができる。
【００３５】
また、上記の例では、タッチパネル２２の表示面を覆うカバー３がシート状のカバーになっているが、タッチパネル２２の表示面を覆うカバー３を板状のカバーにしてもよい。この場合、巻取装置４は用いられず、カバー３はタッチパネル２２の表示面を覆った状態で操作盤本体２に取り付けられる。また、この場合、操作盤本体２に対して板状のカバー３を着脱可能にしてもよいし、操作盤本体２から外せないように板状のカバー３を操作盤本体２に固定してもよい。
【００３６】
また、上記の例では、この発明が乗場操作盤１に適用されているが、エレベータ用操作盤であるかご操作盤にこの発明を適用してもよい。
【符号の説明】
【００３７】
１  乗場操作盤、２  操作盤本体、３  カバー、４  巻取装置、２２  タッチパネル、２３  接触操作領域、３１  開口部、３２  点字領域。
【図１】
2017186121.tif 000003
【図２】
2017186121.tif 000004
【図３】
2017186121.tif 000005
【図４】
2017186121.tif 000006